(57)【要約】【課題】    構造が簡単で組立てが容易であり、装着とマイクロホン及びヘッドホンの位置調整がしやすく、脱落しにくい耳掛け型ヘッドセットマイクロホンの提供。【解決手段】    C字形を呈し、上端部に筒体を備え、且つ、該C字形部分の上半分の切線方向にケーブル入口孔とケーブル出口孔とケーブル収納通路を備えた耳掛け部と、一方の側面にスピーカーが嵌置され、上部を上方向に延伸して設けた固定部と、該固定部の側辺部に挟置された調節棒を備えたヘッドホンと、一端が前記ヘッドホンの別の一方の側面に軸設され、前後移動が可能な状態で下方向に延伸して設けた可曲性管体と、該可曲性管体の別の一端に設置され、該可曲性管体を介して前記ヘッドホンに接続されたマイクロホンと、前記ヘッドホンに接続された信号ケーブルを含み、該調節棒を該筒体内に挿入して、該ヘッドホンを左右方向に一定角度回動させることができると共に、上下方向にも移動調整が可能である。【選択図】    図３ａ
0003103895.tif 000002
【実用新案登録請求の範囲】
【請求項１】
C字形を呈し、該C字形部分の上端部に筒体を備え、且つ、該C字形部分の上半分の切線方向にケーブル入口孔とケーブル出口孔とケーブル収納通路を備えた耳掛け部と、一方の側面にスピーカーが嵌置され、上部を上方向に延伸して設けた固定部と、該固定部の側辺部に挟置された調節棒を備えたヘッドホンと、一端が前記ヘッドホンの別の一方の側面に軸設され、前後移動が可能な状態で下方向に延伸して設けた可曲性管体と、該可曲性管体の別の一端に設置され、該可曲性管体を介して前記ヘッドホンに接続されたマイクロホンと、前記ケーブル入口孔とケーブル収納通路、及びケーブル出口孔を介して前記ヘッドホンに接続された信号ケーブルを含み、そのうち、前記調節棒の外径が、前記ヘッドホン上端の筒体の内径に対応し、該調節棒を該筒体内に挿入して、該ヘッドホンを左右方向に一定角度回動させることができると共に、上下方向にも移動調整が可能である、耳掛け型ヘッドセットマイクロホン。
【請求項２】
前記一定角度が、０〜２１０度の範囲である、請求項１に記載の耳掛け型ヘッドセットマイクロホン。
【請求項３】
前記ヘッドホンの該調節棒に、さらに、中空の通孔を設け、前記信号ケーブルを該通孔内に穿通した、請求項１に記載の耳掛け型ヘッドセットマイクロホン。    
【請求項４】
前記ヘッドホンの該固定部に、さらに、ケーブル収納槽を設け、前記信号ケーブルを該ケーブル収納槽内に穿置した、請求項１に記載の耳掛け型ヘッドセットマイクロホン。
【請求項５】
C字形を呈し、該C字形部分の上端部に筒体を備え、且つ、該C字形部分の上半分の切線方向にケーブル入口孔とケーブル出口孔とケーブル収納通路を備えた耳掛け部と、一方の側面にスピーカーが嵌置され、上部を上方向に延伸して設けた固定部と、該固定部の側辺部に挟置された調節棒を備えたヘッドホンと、前記ケーブル入口孔とケーブル収納通路、及びケーブル出口孔を介して前記ヘッドホンに接続された信号ケーブルを含み、そのうち、前記調節棒の外径が、前記ヘッドホン上端の筒体の内径に対応し、該調節棒を該筒体内に挿入して、該ヘッドホンを左右方向に一定角度回動させることができると共に、上下方向にも移動調整が可能である、耳掛け型ヘッドセット。
【請求項６】
前記一定角度が、０〜２１０度の範囲である、請求項５に記載の耳掛け型ヘッドセット。
【請求項７】
前記ヘッドホンの該調節棒に、さらに、中空の通孔を設け、前記信号ケーブルを該通孔内に穿通した、請求項５に記載の耳掛け型ヘッドセット。    
【請求項８】
前記ヘッドホンの該固定部に、さらに、ケーブル収納槽を設け、前記信号ケーブルを該ケーブル収納槽内に穿置した、請求項５に記載の耳掛け型ヘッドセット。
【請求項９】
さらに、一端が前記ヘッドホンの別の一方の側面に軸設され、前後移動が可能な状態で下方向に延伸して設けた可曲性管体と、該可曲性管体の別の一端に設置され、該可曲性管体を介して前記ヘッドホンに接続されたマイクロホンと、を含む、請求項５に記載の耳掛け型ヘッドセット。
【考案の詳細な説明】
【技術分野】
【０００１】
本考案は、ヘッドセットマクロフォンに関し、特に、調整自在の耳掛け式のヘッドセットマイクロホンに関する。
【背景技術】
【０００２】
ヘッドセットマイクロホンは、マイクロホンとイヤホンの機能を結合した、複合式用品であり、従来のマイクロホンとイヤホンに取って代わるものである。従来のマイクロホンヘッドセットは、使用方法別に見ると、オーバーヘッド型、イヤホン型、耳掛け型等がある。いわゆるオーバーヘッド型のヘッドセットマイクロホンは、アーチ形のヘッドバンドを備えたヘッドセットであり、頭上に被せるようにして装着し、一方のヘッドホン殻体上からマイクロホンが延出して設置されている。このタイプは、マイクロホンの位置を調節しやすく、カバー式のヘッドホンが脱落しにくいという利点があるが、静態における使用のみに適しており、ヘッドバンドは、その両端に設置されたヘッドホンが使用者の耳を外側から挟むようにしてのみ保持され、この他には人体頭部に固定可能な設計はなく、且つ、ヘッドバンドの中心がヘッドホンの挟持点から離れているため、ずれや脱落が発生しやすく、運動時の使用に適しておらず、また、装着後に帽子をかぶることができない。
【０００３】
イヤホン型のマイク付イヤホンは、一般に警備員などが使用するタイプのもので、イヤーチップを耳の中に挿入し、信号ケーブルが使用者の頚部の後ろを通り、マイクロホンを別に使用者の頚部や襟元に掛けて使用する。しかしながら、この構造は部品が散乱しやすく、収納及び使用共に不便であり、且つ、このイヤーチップ式のイヤホンは脱落し易く、信号ケーブルが引っ張られるとすぐに脱落してしまい、不便である。また、マイクロホンの位置も固定しにくく、運動量が大きい使用者（軍人や警察官等）の使用には適さない。
【０００４】
耳掛け型のヘッドセットマイクロホンは、耳掛け式のヘッドホンを備え、人体の耳の外形に基づいて設計されており、耳に掛ける設計により、ヘッドホンが耳の上にしっかりと固定され、通話を行なうことができる。前述の２つのタイプと比較すると、このタイプのヘッドセットマイクロホンは耳によりしっかりと安定して固定させることができる。しかしながら、現在市場で見ることのできる耳掛け型のヘッドセットマイクロホンは、その装着構造を使用者の耳の外形に合わせて調節することができず、このため、使用者により快適な使用感を提供することができない。
【０００５】
このため、耳掛け型の調整可能なヘッドセットマイクロホンで、その構造が簡単で組立てが容易であると共に、装着しやすく、且つ、マイクロホンとヘッドホンを最適な位置に容易に調節できる、脱落しにくい調整式ヘッドセットマイクロホンの開発が求められており、これまで長い間、使用者が克服することのできなかった問題を効果的に解決することが、現在関連領域において積極的な研究開発の目標となっている。本考案は、前述のような従来のヘッドセットマイクロホンの構造上の欠点と使用上の不便さという問題に鑑みみて、斬新な調整式の耳掛け型ヘッドセットマイクロホンを提供する。
【考案の開示】
【考案が解決しようとする課題】
【０００６】
本考案は、前述のような従来のヘッドセットマイクロホンの構造上の欠点と使用上の不便さという問題に鑑みみて、斬新な耳掛け部の調節が可能な耳掛け型ヘッドセットマイクロホンを提供するものである。本考案は、構造が簡単で組立てが容易であり、装着とマイクロホン及びヘッドホンの位置調整がしやすく、脱落しにくい耳掛け型ヘッドセットマイクロホンの提供を目的とする。
【課題を解決するための手段】
【０００７】
本考案の耳掛け型ヘッドセットマイクロホンは、C字形を呈し、該C字形部分の上端に筒体を備え、且つ、該C字形部の上半分の切線方向にケーブル入口孔、ケーブル出口孔及びケーブル収納通路を備えた耳掛け部と、一方の面にスピーカーが嵌設され、上部を上方向に向って延伸して設けた固定部と、該固定部の側辺部に挟設けた調節棒とを備えたヘッドホンと、前記ヘッドホンの別の一方の面に一端が軸設され、下方向へ延伸された、湾曲自在且つ前後方向へ移動が可能な可曲性管体と、該可曲性管体の別の一端に設置され、且つ、該可曲性管体を介して該ヘッドホンに接続されたマイクロホンと、前記ケーブル入口孔、ケーブル収納通路及びケーブル出口孔を介し、前記ヘッドホンに接続された信号ケーブルと、を含み、そのうち、前記調節棒の外径は、前記耳掛け部上端に設けた該筒体の内径に対応し、該調節棒を該筒体内に挿入すると、前記ヘッドホンを該調節棒に沿って上下方向に移動・調節させることができ、且つ、左右方向にも一定角度回転させることができる。  
【０００８】
前述のうち、該ヘッドホンの左右方向の回転角度は、０〜210度の範囲である。
【０００９】
前述のうち、該ヘッドホンの該調節棒は、さらに、中空の通孔を備え、前記信号ケーブルをその中に穿通させることができる。
【００１０】
前述のうち、前記ヘッドホンの該固定部は、さらに、ケーブル収納槽を備え、前記信号ケーブルをその中に穿置することができる。
【００１１】
本考案は、さらに、構造が簡単で組立てが容易であり、装着とヘッドホンの位置調整がしやすく、脱落しにくい耳掛け型ヘッドセットの提供を別の目的とする。          
【００１２】
本考案の耳掛け型ヘッドセットは、C字形を呈し、該C字形部の上端に筒体を備えた耳掛け部と、該C字形部の上半分の切線方向に設けたケーブル入口孔、ケーブル出口孔及びケーブル収納通路と、一方の面にスピーカーを嵌設したヘッドホンと、該ヘッドホン上部を上方向に向って延伸して設けた固定部と、該固定部の側辺部に設けた調節棒と、前記ケーブル入口孔、ケーブル収納通路及びケーブル出口孔を介し、前記ヘッドホンに接続された信号ケーブルと、を含み、そのうち、前記調節棒の外径は、前記耳掛け部上端に設けた該筒体の内径に対応し、該調節棒を該筒体内に挿入すると、前記ヘッドホンを該調節棒に沿って上下方向に移動・調節させることができ、且つ、左右方向にも一定角度回転させることができる。  
【００１３】
前述のうち、該ヘッドホンの左右方向の回転角度は、０〜210度の範囲である。
【００１４】
前述のうち、該ヘッドホンの該調節棒は、さらに、中空の通孔を備え、前記信号ケーブルをその中に穿通させることができる。
【００１５】
前述のうち、前記ヘッドホンの該固定部は、さらに、ケーブル収納槽を備え、前記信号ケーブルをその中に穿置することができる。
【００１６】
前述のうち、該耳掛け型ヘッドセットがさらに、前記ヘッドホンの別の一方の面に一端が軸設され、下方向へ延伸された、湾曲自在且つ前後方向へ移動が可能な可曲性管体と、該可曲性管体の別の一端に設置され、且つ、該可曲性管体を介して該ヘッドホンに接続されたマイクロホンと、を含む。
【考案の効果】
【００１７】
本考案の耳掛け型ヘッドセットマイクロホンは、装着が簡単で脱落しにくく、同時に使用者の必要に合わせ、耳掛け部とヘッドホン間の高さと方向を任意に調節することができ、使用上の利便性を向上することができる。本考案の調節棒と固定部の導入により、使用者の必要に応じ、該ヘッドセットマイクロホンを最適な状態に調整することができ、また、その構造が単純であるため、複雑な前処理の手順が必要なく、組立ても簡単に行なうことができる。さらに、該調節棒と固定部の導入により、本考案のヘッドホンの回動は210度以内に制限され、信号ケーブルがヘッドホンの過度の回動により、もつれたり引っ張られたりして断裂することを防ぐことができる。
【考案を実施するための最良の形態】
【００１８】
以下、本考案の耳掛け型ヘッドセットマイクロホンについて、図面に基づき詳細に説明する。尚、本考案の技術を応用した耳掛け型ヘッドセットマイクロホンは、以下の実施例のみに限られず、本考案の技術が適用可能な、他のあらゆる調整式耳掛け型ヘッドセットマイクロホンに本考案を応用することができる。
【実施例１】
【００１９】
図１a及び図１bに、本考案の耳掛け型ヘッドセットを示す。図に示すように、本考案のヘッドセットは、C字形を呈し、上端に筒体１１を備えた耳掛け部１と、該C字形部分の上半分の切線方向にそれぞれ設けたケーブル入口孔１２１、ケーブル出口孔１２２及びケーブル収納通路１２３と、一方の面にスピーカー２１を嵌設したヘッドホン２と、その上部に上方向に延伸して設けた固定部２２と、該固定部２２の側辺に設けた調節棒２３と、前記ケーブル入口孔１２１、ケーブル収納通路123及びケーブル出口孔１２２を経由し、前記ヘッドホン２に接続された信号ケーブル３と、を少なくとも含み、そのうち、前記調節棒２３の外径は、前記ヘッドホン２上部に設けられた該筒体１１の内径に対応し、該調節棒２３を該筒体１１内に挿入して、該ヘッドホン２を上下方向に移動・調節させることができると共に、左右方向に一定角度回動させることができる。図１a及び図１bは、この実施例を右耳及び左耳に使用する際の調整状態をそれぞれ示す。
【００２０】
実際の応用においては、該ヘッドホン２の該固定部２２に、さらに、ケーブル収納槽または中空の通孔（図には未表示）を設け、前記信号ケーブル３をその中に穿置し、さらに該ヘッドホン２に接続する。
【実施例２】
【００２１】
該信号ケーブル３は、前記調節棒２３と該ヘッドホン２を介して接続することもでき、図２a及び図２bに示すように、該調節棒２３は中空の通孔（図には未表示）を備え、該信号ケーブル３をその中に穿通することができる。また、前述の実施例において、該信号ケーブル３の別の一端は、プラグ４（または音響機器）へ延伸される。図２a及び図２bは、この実施例をこの実施例を右耳及び左耳に使用する際の調整状態をそれぞれ示す。
【００２２】
前述の構造から分かるように、本考案のヘッドセットは構造が単純であり、組立てにおいては、まず前記耳掛け部１を前記調節棒２３上に設置し、さらに、スピーカー２１をヘッドホン２に設けた槽内に嵌置するだけでよく、組立てが非常に容易である。使用時においては、該ヘッドホン２を前記耳掛け部１により使用者の耳の上に掛けて装着し、脱落しにくい状態で、簡単に該スピーカー２１を最適な使用位置に調節することができ、前記信号ケーブル３が引っ張られても、脱落しにくい構造である。
【００２３】
このほか、前記信号ケーブル３は、該ケーブル収納通路１２３に穿通され、さらに該ケーブル出口孔122及びケーブル入口孔１２１から延出し、該信号ケーブル３と、該ケーブル出口孔１２２及び該ケーブル入口孔１２１の内壁部間には摩擦阻力が形成され、特に、該信号ケーブル３が引っ張られる方向と該ケーブル入口孔１２１及びケーブル出口孔１２２の開口方向に角度が形成されるときの阻力はより大きくなるため、該信号ケーブル３と該ヘッドホン２の接続には、別に切断防止の保護を設けるとその実用性がより向上される。また、本考案の該ヘッドホン２と、該耳掛け部１は、前記調節棒２３と前記固定部２２により同時に制限されるため、360度の回動はできない仕組みであり、該耳掛け部１と該ヘッドホン２間の信号ケーブル３がもつれにくく、該信号ケーブル３のもつれや切断の発生を防ぐことができる。該調節棒２３と該固定部２２の構造の導入により、本考案のヘッドホン２は、実際においては該耳掛け部１に対して最高で210度の回動が可能となり、使用者の必要に応じ、右耳での使用または左耳での使用の形態に十分調整が可能である。
【実施例３】
【００２４】
図３a及び図３bに、本考案のヘッドセットマイクロホンの最良の実施例を示す。図に示すように、C字形を呈し、上端に筒体１１を備えた耳掛け部１と、該C字形部分の上半分の切線方向にそれぞれ設けたケーブル入口孔１２１、ケーブル出口孔１２２及びケーブル収納通路１２３と、一方の面にスピーカー２１を嵌設したヘッドホン２と、その上部に上方向に延伸して設けた固定部２２と、該固定部２２の側辺に設けた調節棒２３と、前記ケーブル入口孔１２１、ケーブル収納通路123及びケーブル出口孔１２２を経由し、前記ヘッドホン２に接続された信号ケーブル３と、前記ヘッドホン２の別の一方の面に一端が軸設され、下方向へ延伸された、湾曲自在且つ前後方向へ移動が可能な可曲性管体５と、該可曲性管体５の別の一端に設置され、且つ、該可曲性管体５を介して該ヘッドホン２に接続されたマイクロホン６と、を含み、そのうち、前記調節棒２３の外径は、前記ヘッドホン２上部に設けられた該筒体１１の内径に対応し、該調節棒２３を該筒体１１内に挿入して、該ヘッドホン２を上下方向に移動・調節させることができると共に、左右方向に一定角度回動させることができる。図３a及び図３bは、この実施例を右耳及び左耳に使用する際の調整状態をそれぞれ示し、図４a及び図４bは、この実施例を使用者の右耳及び左耳に装着して使用する際の状態をそれぞれ示す。
【００２５】
前述の該等実施例と同様に、本実施例における該ヘッドホン２と該マイクロホン６の構造は、前記耳掛け部１を使用者の耳の上に掛けて装着し、脱落しにくい状態で、簡単に該スピーカー２１とマイクロホン６を使用者の必要に応じ最適な使用位置に調節することができ、また、前記信号ケーブル３が引っ張られても、脱落しにくい構造である。さらに、本実施例のマイクロホン６を設置した可曲性管体５は、該ヘッドホン２に対して前後に移動させることができ、右耳での使用または左耳での使用の形態に調整することができる。
【００２６】
前述のように、本考案の調整式の耳掛け型ヘッドセットマイクロホンによれば、従来のヘッドセットマイクロホンの組立てと調整上の変化不足等の問題を解決することができる。また、本考案の耳掛け型ヘッドセットマイクロホンは、調節棒と固定部の導入により、使用者の必要に応じ、該ヘッドセットマイクロホンを最適な状態に調整することができる。また、その構造が単純であるため、複雑な前処理の手順が必要なく、組立ても簡単に行なうことができる。さらに、該調節棒と固定部の導入により、本考案のヘッドホンの回動は210度以内に制限され、該信号ケーブルがヘッドホンの過度の回動により、もつれたり引っ張られたりして断裂することを防ぎ、これは従来の技術では達成できないものである。
【００２７】
以上、本考案の耳掛け型ヘッドセットマイクロホンについて、実施例に基づき説明してきたが、本考案の要旨を逸脱しない範囲におけるあらゆる修飾も、本考案に含まれるものとする。
【図面の簡単な説明】
【００２８】
【図１ａ】本考案の実施例１の耳掛け型ヘッドセットを右耳用に調整した状態を示す立体図である。
【図１ｂ】本考案の実施例１の耳掛け型ヘッドセットを左耳用に調整した状態を示す立体図である。
【図２ａ】本考案の実施例２の耳掛け型ヘッドセットを右耳用に調整した状態を示す立体図である。
【図２ｂ】本考案の実施例２の耳掛け型ヘッドセットを左耳用に調整した状態を示す立体図である。
【図３ａ】本考案の実施例３の耳掛け型ヘッドセットマイクロホンを右耳用に調整した状態を示す立体図である。
【図３ｂ】本考案の実施例３の耳掛け型ヘッドセットマイクロホンを左耳用に調整した状態を示す立体図である。
【図４ａ】本考案の実施例３の耳掛け型ヘッドセットマイクロホンを左耳に装着した状態を示す図である。
【図４ｂ】本考案の実施例３の耳掛け型ヘッドセットマイクロホンを右耳に装着した状態を示す図である。
【符号の説明】
【００２９】
１        耳掛け部
１１      筒体
１２１    ケーブル入口孔
１２２    ケーブル出口孔
１２３    ケーブル収納通路
２        ヘッドホン
２１      スピーカー
２２      固定部
２３      調節棒
３        信号ケーブル
４        プラグ
５        可曲性管体
６        マイクロホン
【図１ａ】
0003103895.tif 000003
【図１ｂ】
0003103895.tif 000004
【図２ａ】
0003103895.tif 000005
【図２ｂ】
0003103895.tif 000006
【図３ａ】
0003103895.tif 000007
【図３ｂ】
0003103895.tif 000008
【図４ａ】
0003103895.tif 000009
【図４ｂ】
0003103895.tif 000010